(57)【要約】【課題】少量の不活性ガスで効率よく火災を消火することのできる消火用具を提供する。【解決手段】火災時に不活性ガスが封入される風船２と、この風船２が取付けられる消火補助板１０と、消火補助板１０に設けた把持部１４とにより消火用具１を構成した。  また、上記の把持部１４を、ガス消火器３０又は支持棒３５で構成した。【選択図】図１
2011045483.tif 000002
【特許請求の範囲】
【請求項１】
火災時に不活性ガスが封入され、火炎の熱により破裂する風船と、該風船が取付けられる消火補助板と、該消火補助板に設けられた把持部とを備えたことを特徴とする消火用具。
【請求項２】
前記把持部をガス消火器で構成し、該ガス消火器のノズルを前記消火補助板に取付けた風船に接続するようにしたことを特徴とする請求項１記載の消火用具。
【請求項３】
前記把持部を、一端が前記消火補助板に着脱可能に取付けられた支持棒によって構成したことを特徴とする請求項１記載の消火用具。
【請求項４】
前記消火補助板は、前記風船が膨らんだときの外径の２分の１以上の大きさであることを特徴とする請求項１〜３のいずれかに記載の消火用具。
【発明の詳細な説明】
【技術分野】
【０００１】
本発明は消火用具に係り、より詳しくは、少量の不活性ガスで効率よく火災を消火することのできる消火用具に関するものである。
【背景技術】
【０００２】
従来、不活性ガスによる火災の局所消火は、ＣＯ2消火器などのようにラッパ状のノズルから不活性ガスを勢いよく放出することにより火炎に不活性ガスを供給し、主として窒息効果により火災を消火していた（例えば、特許文献１参照）。
【先行技術文献】
【特許文献】
【０００３】
【特許文献１】特開２００１−６１９８６号公報（第３−４頁、図１）
【発明の概要】
【発明が解決しようとする課題】
【０００４】
特許文献１の不活性ガスによる火災の局所消火方式においては、不活性ガスがノズルから火炎に向って放射される際に、不活性ガスの流れに沿って周囲の酸素が含まれる空気を巻き込んでしまうため、消火効率が悪くなり、大量の不活性ガスが必要になるという問題があった。
【０００５】
本発明は、上記の課題を解決するためになされたもので、少量の不活性ガスにより効率よく火災を消火することのできる消火用具を提供することを目的としたものである。
【課題を解決するための手段】
【０００６】
本発明に係る消火用具は、火災時に不活性ガスが封入され、火炎の熱により破裂する風船と、該風船が取付けられる消火補助板と、該消火補助板に設けられた把持部とを備えたものである。
【０００７】
また、本発明に係る消火用具は、上記の把持部をガス消火器で構成し、該ガス消火器のノズルを前記消火補助板に取付けた風船に接続するようにしたものである。
また、本発明に係る消火用具は、上記の把持部を、一端が前記消火補助板に着脱可能に取付けられた支持棒によって構成したものである。
さらに、本発明に係る消火用具は、前記消火補助板を、風船が膨らんだときの外径の２分の１以上の大きさとしたものである。
【発明の効果】
【０００８】
本発明によれば、不活性ガスが封入されて消火補助板に取付けられた風船を、把持部を持って消火補助板が風船の上に位置するようにして火炎に近付けると、風船が火炎の直上で破裂すると同時に不活性ガスが放射状に拡散されるため周囲の空気を巻き込むことがなく、また、火炎の反対側に放射した不活性ガスは、消火補助板に当って反射して大部分が火炎に向うため、少ない不活性ガスにより効率よく消火することができるので、信頼性の高い消火用具を得ることができる。
【図面の簡単な説明】
【０００９】
【図１】本発明の実施の形態１に係る消火用具の説明図である。
【図２】図１の消火用具の使用状態を示す説明図である。
【図３】図１の消火用具の使用状態を示す説明図である。
【図４】本発明の実施の形態２に係る消火用具及びその使用状態の説明図である。
【図５】本発明の実施の形態３に係る消火用具の使用状態を示す説明図である。
【図６】図５の消火用具の説明図である。
【発明を実施するための形態】
【００１０】
［実施の形態１］
図１は本発明の実施の形態１に係る消火用具の説明図である。
図において、１は消火用具で、ゴム製の風船２と、この風船２が取付けられる消火補助板１０とからなっており、風船２は、上部外周におねじを有する円筒状の取付部４の下部外周に、風船２の吹込み口３を嵌合して固定したものである。
【００１１】
消火補助板１０は、金属板や合成樹脂板などにより四角形の如き多角形や円形に形成され、外周縁が下方かつ斜め外方（風船２が取付けられる側）に向って折り曲げられて、周壁１１が設けられている。そして、中央部には、下部内周にめねじを有し、上部に風船２側にのみ不活性ガスを通過させる逆止弁１３が設けられたガス供給口１２が設けられており、ガス供給口１２のめねじには、下方から風船２の取付部４のおねじが着脱可能に螺入される。１４は消火補助板１０の上面に設けた使用者がつかむための把持部である。なお、把持部１４は、図には消火補助板１０の上面にハンドル状のものを設けた場合を示したが、消火時に使用者が風船２の位置を消火補助板１０の下になるような状態にできるものであれば、把持部１４の形状や取付位置を特に限定するものではない。
【００１２】
上記のように構成した消火用具１において、火災が発生したときは、図２に示すように、風船２の取付部４を消火補助板１０のガス供給口１２に接続して一体化し、ついで不活性ガスが充填されたガスボンベ２０のホース２２に設けたノズル２３を、消火用具１のガス供給口１２に例えば圧入等により接続し、バルブ２１を操作してガスボンベ２０内の不活性ガスを風船２内に供給して膨らませる（符号２ａで示す）。なお、不活性ガス２５としては、窒素、二酸化炭素、Ｎｏｖｅｃ１２３０、ＨＦＣ−２２７ｅａ等を使用する。
【００１３】
風船２が不活性ガス２５により所望の大きさ、例えば、消火補助板１０とほぼ同じかそれより僅かに小さい大きさに膨らんだときは、ガスボンベ２０のノズル２３をガス供給口１２から取り外す。このとき、ガス供給口１２は逆止弁１３により閉塞されるので、不活性ガス２５がガス供給口１２から漏洩することはない。
【００１４】
この状態で、把持部１４を持って、図３に示すように、風船２ａを火炎４０と消火補助板１０とで挟むようにして火炎４０に近付けると、火炎４０の熱によって風船２ａが火炎４０のほぼ直上で破裂し、封入された不活性ガス２５は拡散しながら火炎４０に向い、火炎４０を完全に覆って空気を遮断し、消火する。
【００１５】
このとき、不活性ガス２５は放射状に拡散するため、周囲の空気を巻き込むことがない。また、不活性ガス２５の一部は火炎４０の反対側、つまり上側に放射するが、消火補助板１０に当って反射し、大部分の不活性ガス２５が火炎４０に向い、さらに周壁１１により拡散が防止されるため、少ない不活性ガスで効率的に消火することができる。
【００１６】
上記のような消火用具において、消火補助板１０の大きさは、風船２が膨らんだときの外径（例えば、５０ｃｍ〜１００ｃｍ）の２分の１以上、例えば、風船２の外径の７０％程度の大きさがあれば十分であるが、消火補助板１０は、風船２が膨らんだときの外径より大きい方が望ましい。
また、消火補助板１０は不透明の材料で構成してもよいが、半透明又は透明の材料で構成すれば、不活性ガス２５が充満された風船２ａを火炎４０に近付けるときに、目視により位置決めをすることができる。
【００１７】
さらに、消火補助板１０を不燃性の材料で構成すれば、風船２ａが破裂して不活性ガス２５が放出されたのち、図３に破線で示すように、消火補助板１０を火炎４０に被せて火炎４０を覆うようにすれば、消火効果をより高めることができる。
【００１８】
上記の説明では、風船２をおねじを有する取付部４に取付けて、消火補助板１０に設けためねじを有するガス供給口１２に着脱可能に接続する場合を示したが、風船２の消火補助板１０への取付けはこれに限定するものではなく、他の手段を用いてもよい。
また、火災が発生したときに、風船２を消火補助板１０に取付ける場合を示したが、風船２をあらかじめ消火補助板１０に取付けておいてもよい。
【００１９】
さらに、火災が発生したときは、不活性ガスが封入されたガスボンベ２０から風船２に不活性ガスを供給する場合を示したが、例えば不活性ガスを使用した消火器（以下、ガス消火器という）の不活性ガスを風船２に供給するようにしてもよい。
また、ガスボンベ２０に接続されたノズル２３を、消火用具１のガス供給口１２に圧入して接続する場合を示したが、他の手段によって接続してもよい。
【００２０】
本実施の形態によれば、不活性ガスが封入された風船２ａを火炎４０の直上で破裂させることで、風船２内の不活性ガス２５が放射状に拡散されて周囲の空気を巻き込むことなく火炎４０を包みこむことができる。また、火炎４０の反対側に放射した不活性ガス２５は、消火補助板１０に当って反射して大部分が火炎４０に向うので、少ない不活性ガスで効率よく確実に消火することができるため、信頼性の高い消火用具１を得ることができる。
【００２１】
［実施の形態２］
図４は本発明の実施の形態２に係る消火用具及びその使用方法の説明図である。なお、実施の形態１と同じ部分には、これと同じ符号が付している。
本実施の形態は、消火補助板１０にあらかじめ風船２が取付けられた消火用具１のガス供給口１２（図１参照）に、不活性ガスを使用したガス消火器３０のノズル３２を固定的に連結して風船２と連通させ、消火用具１とガス消火器３０とを一体的に構成したものである。なお、本実施の形態においては、実施の形態１において消火補助板１０に設けた把持部１４を省略し、ガス消火器３０を把持部とした。
【００２２】
本実施の形態においては、火災が発生したときは、消火用具１と一体化したガス消火器３０の本体部を一方の手で持ち、他方の手でハンドル３１を操作して、風船２内に不活性ガス２５を供給して風船２を膨らませる。このとき、ガス供給口１２に逆止弁１３を設けてもよく、あるいは逆止弁１３を省略して風船２ａ内とガス消火器３０内の不活性ガスをほぼ同圧に保持するようにしてもよい。なお、風船２は消火補助板１０から外しておき、火災が発生したときにガス供給口１２に接続するようにしてもよい。
【００２３】
そして、実施の形態１の場合と同様に、把持部１４（ガス消火器３０）を持って、不活性ガス２５が充満して膨らんだ風船２ａを火炎４０と消火補助板１０とで挟むようにして風船２ａを火炎４０に近付けて破裂させ、火災を消火する。なお、本実施の形態においては、風船２ａが破裂したのちも、ガス消火器３０のハンドル３１を引続き操作することにより、ガス消火器３０の不活性ガスを火炎４０に向って噴射させることができる。
【００２４】
本実施の形態においても実施の形態１の場合とほぼ同様の効果を得ることができるが、さらに、消火用具１とガス消火器３０とが一体化されているので、火災が発生したときに直ちに対応することができるため、より早期に消火することができる。また、風船２ａが破裂したのちも、必要に応じてガス消火器３０内の不活性ガスを火炎４０に向って噴射させることができるので、より確実に消火することができる。
【００２５】
［実施の形態３］
図５は本実施の形態３に係る消火用具の使用方法の説明図、図６は図５の消火用具の説明図である。なお、実施の形態１と同じ部分にはこれと同じ符号が付してある。
本実施の形態は、消火補助板１０に不活性ガスを充満させて膨らませた風船２ａが取付けられた消火用具１に、把持部１４である支持棒３５の一端を取付け、支持棒３５の他端を持って風船２ａを火炎４０に近付けるようにしたものである。
【００２６】
本実施の形態に係る消火用具１において、図６（ａ）に示すように、消火補助板１０の風船２ａの取付側の中央部の下面には、風船２ａを保持する挟持部１５が設けられている。またその上面側には、ほぼＬ字状の支持棒連結部１６が設けられており、その水平部には支持棒３５が着脱可能に連結される角穴１６ａが設けられている。
【００２７】
支持棒３５は、木材や中空の合成樹脂材などにより、手で握れる太さの円形、角形等の断面形状で所定の長さ（例えば、１．５〜２．０ｍ）に形成したものである。そして、丸棒からなる場合は、消火補助板１０の支持棒連結部１６の角穴１６ａに連結しうるように、一方の端部を断面角形に形成することが望ましい。これにより、支持棒３５が消火用具１に対して回転するのを防止することができる。
【００２８】
上記のように構成した消火用具１は、風船２、消火補助板１０及び支持棒３５を分離し、ガスボンベ２０やガス消火器３０の近傍に纏めて設置される。なお、紛失を防止するために、風船２をあらかじめ消火補助板１０に取付けておいてもよく、また、支持棒３５を支持棒連結部１６に連結しておいてもよい。
【００２９】
本実施の形態において、火災が発生したときは、風船２の吹込み口３に実施の形態１，２の場合と同様にガスボンベ２０やガス消火器３０のノズル２３（３２）を連結し、風船２内に不活性ガスを供給して膨らませる。風船２が所望の大きさになったときは、吹込み口３を風船止め具６あるいはワンタッチバルブ（図示せず）で封止し、ノズル２３（３２）を取り外す。
【００３０】
ついで、風船２ａの吹込み口３を挟持部１５により挟持して消火補助板１０に取付けて一体化し、支持棒３５の一端を支持棒連結部１６の角穴１６ａに挿入して連結する。
そして、支持棒３５の他端を手に持って、不活性ガス２５が充満した風船２ａを火炎４０に近付けて破裂させる。以下、実施の形態１の場合と同様の作用により消火する。なお、この場合も、消火補助板１０を風船２ａの上側に位置させて、風船２ａを消火補助板１０と火炎４０とで挟むような状態で風船２ａを破裂させる。
【００３１】
上記のような消火用具１において、図６（ｂ）に示すように、支持棒連結部１６を、消火補助板１０の上面に立設した固定部材１７ａと、角穴１６ａを有し、ピン１７ｃにより固定部材１７ａに回動かつ固定可能に取付けられた可動部材１７ｂとによって構成し、火炎４０の位置や大きさなどに応じて、消火補助板１０に対する支持棒３５の角度を変えうるようにしてもよい。
【００３２】
本実施の形態においても実施の形態１の場合とほぼ同様の効果を得ることができるが、支持棒３５により風船２ｂから離れた場所で消火用具１を保持するようにしたので、火炎４０に近寄りにくい場合や、風船２ａの破裂が恐ろしい場合にも、火炎４０から離れて消火用具１を操作できるので、使用者の安全性が向上し、風船２ａの破裂による恐怖心を小さくすることができる。なお、火炎４０の大きさは様々なので、大きさの異なる複数の消火補助板１０を用意しておくことが望ましく、使用者は火炎４０の大きさに応じて火炎４０よりも大きい消火補助板１０を使用するようにしてもよい。
【００３３】
［実験例］
本発明に係る不活性ガスを封入した風船２及び消火補助板１０からなる消火用具１と、不活性ガスを封入した風船のみからなる消火用具とにより、火災の消火実験を行った。
実験は、縦横５０ｃｍの火皿に１リットルのヘプタンを入れて着火し、１０秒経過した状態での火炎に対して、上記の消火用具を用いて行った。
【００３４】
（実験１）
まず、不活性ガスを封入する風船には、外径が９０ｃｍまで膨張可能なゴム風船を使用した。この風船に、不活性ガスとしてＨＦＣ−２２７ｅａ（ヘプタフルオロプロパン）を、風船の外径が５０ｃｍになるまで封入した。この風船を前述の火皿の火炎の上にかざし、火炎の熱により風船を破裂させたが、火災を消火することができなかった。
【００３５】
（実験２）
次に、実験１で使用した風船と同じ状態の風船を消火補助板に取付け、消火補助板が風船の上部に位置するようにした状態で風船を火皿の火炎上にかざして破裂させたところ、破裂後１秒遅れで炎が火皿側面から飛んで、火災は完全に消火された。
【００３６】
（実験３）
ついで、実験１で使用した風船と同じ風船を、その外径が７０ｃｍになるまで不活性ガスを封入し、この風船（消火補助板なし）を火皿の火炎上にかざして破裂させたところ、実験２の場合と同様に火災を消火することができた。
以上の実験結果から、不活性ガスが封入された風船に消火補助板を取付けることにより、より少ない不活性ガスで確実に火災を消火できることがわかった。
【符号の説明】
【００３７】
１  消火用具、２  風船、２ａ  膨らんだ風船、４  取付部、１０  消火補助板、１１  周壁、１２  ガス供給口、１４  把持部、１５  挟持部、１６  支持棒連結部、２０  ガスボンベ、３０  ガス消火器、４０  火炎。
【図１】
2011045483.tif 000003
【図２】
2011045483.tif 000004
【図３】
2011045483.tif 000005
【図４】
2011045483.tif 000006
【図５】
2011045483.tif 000007
【図６】
2011045483.tif 000008